(57)【要約】本発明に係る表示システムは、電気的に接続している表示装置及びテレビスティックを備える。表示装置は、第一伝送インタフェース、第一制御モジュール及び電源モジュールを備え、テレビスティックは、第二伝送インタフェース及び第二制御モジュールを備える。第一、第二伝送インタフェースは、複数の伝送ピンを備え、対応して電気的に接続する。第一制御モジュールは、その中の一つの伝送ピンの電圧を検出することで、表示装置とテレビスティックとのマッチング状態を獲得し、且つ対応してイネーブル信号を出力する。表示装置とテレビスティックとがマッチングしている場合、前記イネーブル信号は、制御モジュールを制御して、電源信号を第一、第二伝送インタフェースによって、第二制御モジュールに伝送して提供する。表示装置とテレビスティックとがマッチングしていない場合、電源信号を第二制御モジュールに提供しない。
2017526229.tif 000002
【特許請求の範囲】
【請求項１】
表示装置及びテレビスティックを備え、前記テレビスティックが前記表示装置と電気的に接続する表示システムにおいて、
前記表示装置は、第一伝送インタフェース、第一アダプター回路、第一制御モジュール及び電源モジュールを備え、
前記第一伝送インタフェースは、複数の伝送ピンを備え、前記複数の伝送ピンは、少なくとも第一メイン伝送ピン及び第二メイン伝送ピンを備え、
前記第一アダプター回路は、前記第一メイン伝送ピンと電気的に接続して、前記第一メイン伝送ピンに電圧を提供し、前記第一メイン伝送ピンの電圧は、前記表示装置と前記テレビスティックとのマッチングの状態を表し、
前記第一制御モジュールは、前記第一メイン伝送ピンの電圧を検出して、接続状態を獲得し、且つ対応してイネーブル信号を出力し、
前記電源モジュールは、前記第二メイン伝送ピンと接続して、電源信号を提供し、前記表示装置と前記テレビスティックとがマッチングしている場合、前記イネーブル信号は、前記電源モジュールを制御して電源信号を前記第二メイン伝送ピンに出力して、前記第二メイン伝送ピンが前記テレビスティックに給電し、前記表示装置と前記テレビスティックとがマッチングしていない場合、前記イネーブル信号は、前記電源モジュールを制御して、且つ前記第二メイン伝送ピンに前記電源信号を提供せず、
前記テレビスティックは、第二伝送インタフェース、第二制御モジュール及び第二アダプター回路を備え、前記第二伝送インタフェースは、複数の伝送ピンを備え、前記複数の伝送ピンは、少なくとも第一回伝送ピン及び第二回伝送ピンを備え、それぞれ前記第一メイン伝送ピン、前記第二メイン伝送ピンと電気的に接続し、
前記第二アダプター回路は、前記第一回伝送ピンと電気的に接続して、前記第一回伝送ピンからの電圧を提供し、且つ前記第一アダプター回路と組み合って、共に前記第一メイン伝送ピンの電圧を識別し、
前記第二制御モジュールは、前記第二回伝送ピンと電気的に接続し、前記第二回伝送ピンからの前記電源信号を受信し、且つ前記電源信号の駆動下で正常に作動することを特徴とする表示システム。
【請求項２】
前記第一伝送インタフェース及び第二伝送ピンインタフェースは、それぞれＨＤＭＩ伝送インタフェースであることを特徴とする請求項１に記載の表示システム。
【請求項３】
前記第一アダプター回路と前記第二アダプター回路とは、共に前記第一メイン伝送ピンが第一電圧値或いは第二電圧値を有するようにさせ、前記第一伝送ピンが前記第一電圧値を有する場合、前記テレビスティックと前記表示装置とがマッチングしていることを示し、前記第一伝送ピンが前記第二電圧値を有する場合、前記テレビスティックと前記表示装置とがマッチングしていないことを示すことを特徴とする請求項２に記載の表示システム。
【請求項４】
前記表示装置と前記テレビスティックとがマッチングしている場合、前記イネーブル信号は、第三電圧値を有し、前記表示装置と前記テレビスティックとがマッチングしていない場合、前記イネーブル信号は、第四電圧値を有することを特徴とする請求項３に記載の表示システム。
【請求項５】
前記電源モジュールは、第一ＤＣ−ＤＣ変換回路及び電源制御回路を備え、前記第一ＤＣ−ＤＣ変換回路は、一つの電源信号を出力し、前記電源制御回路は、前記第一ＤＣ−ＤＣ変換回路と前記第二メイン伝送ピンと電気的に接続して、イネーブル信号の制御下で選択的に前記ＤＣ−ＤＣ変換回路と前記第二メイン伝送ピンとを接続或いは遮断させ、前記テレビスティックと前記表示装置とがマッチングしている場合、前記電源制御回路は、前記第一ＤＣ−ＤＣ変換回路と前記第二メイン伝送ピンとの電気的に接続を制御して、前記電源信号を前記第二メイン伝送ピンに伝送し、前記テレビスティックと前記表示装置とがマッチングしていない場合、前記電源制御回路は、前記第一ＤＣ−ＤＣ変換回路と前記第二メイン伝送ピンとの電気的に遮断を制御し、且つ前記電源信号を前記第二メイン伝送ピンに伝送しないことを特徴とする請求項４に記載の表示システム。
【請求項６】
前記表示装置は、更に一つの第一制御回路及び一つの第一信号受信モジュールを備え、前記第一伝送インタフェースは、更に第三メイン伝送ピンを備え、前記第一信号受信モジュールは、前記第一制御回路と前記第一制御モジュールと電気的に接続して、一つの外部装置が入力した第一制御信号を受信し、且つ第一メイン制御信号に切り替え、前記第一制御信号は、前記表示装置と前記テレビスティックの作業を制御し、前記第一制御回路は、前記第二メイン伝送ピンと前記第一制御モジュールと電気的に接続し、且つ前記イネーブル信号の制御を受信し、前記テレビスティックと前記表示装置とがマッチングしている場合、前記第一制御回路は、前記イネーブル信号の制御下で、前記第一メイン制御信号を前記第三メイン伝送ピンに伝送し、前記テレビスティックと前記表示装置とがマッチングしていない場合、前記第一制御回路は、前記第一メイン制御信号を前記第三メイン伝送ピンに伝送せず、前記第二伝送インタフェースは、更に第三回伝送ピンを備え、前記第三回伝送ピンは、前記第三メイン伝送ピンと電気的に接続し、前記第二制御モジュールは、前記第三回伝送ピンから前記第一メイン制御信号を受信し、且つ前記第一メイン制御信号によって、表示データを前記表示装置に伝送することを特徴とする請求項４に記載の表示システム。
【請求項７】
前記第一メイン伝送ピン及び前記第一回伝送ピンは、ＨＤＭＩ伝送インタフェースの第二ピンであり、前記第二メイン伝送ピン及び前記前記第二回伝送ピンは、ＨＤＭＩ伝送インタフェースの第十八ピンであり、前記第三メイン伝送ピン及び前記第三回伝送ピンは、ＨＤＭＩ伝送インタフェースの第十四ピンであることを特徴とする請求項６に記載の表示システム。
【請求項８】
前記第一制御回路は、第一イネーブル端、第一伝送端及び前記第二伝送端を備え、前記第一イネーブル端は、前記イネーブル信号を受信し、前記第一伝送端は、前記第一信号受信モジュールと電気的に接続し、前記第二伝送端は、前記第二伝送ピンと電気的に接続し、前記テレビスティックと前記表示装置とマッチングしている場合、前記第一制御回路は、オン状態になり、且つ前記第一伝送端及び前記第二伝送端とが電気的に接続し、前記テレビスティックと前記表示装置とがマッチングしていない場合、前記第一制御回路は、オフ状態になり、前記第一伝送端と前記第二伝送端とが電気的に遮断することを特徴とする請求項６に記載の表示システム。
【請求項９】
前記第一アダプター回路は、第一抵抗を備え、前記第一抵抗の一端は、前記第一メイン伝送ピンと電気的に接続し、前記抵抗の別の一端は、前記第一電圧端と電気的に接続し、前記第一電圧端は、第五電圧値を有することを特徴とする請求項４に記載の表示システム。
【請求項１０】
前記第二アダプター回路は、第二抵抗を備え  前記第二抵抗の一端は、アースし、別の一端は、前記第一回伝送ピンと電気的に接続することを特徴とする請求項９に記載の表示システム。
【請求項１１】
前記テレビスティックと前記表示装置がマッチングしていない場合、前記第二メイン伝送ピンは、前記第一伝送インタフェースの接続状態を検出し、前記第一伝送インタフェースが接続状態である場合、前記第二メイン伝送ピンに５Ｖ電圧を伝送し、前記第一伝送インタフェースが非接続状態である場合、前記第二メイン伝送ピンは、フロート状態になり、且つ前記第二メイン伝送ピンは、検出結果を前記第一制御モジュールに出力することを特徴とする請求項４に記載の表示システム。
【請求項１２】
前記テレビスティックは、更に第二制御回路を備え、前記第二制御回路は、前記第三回伝送ピンと前記第二制御モジュールとの間に電気的に接続すると共に、更に前記第一回伝送ピンと電気的に接続し、前記第一回伝送ピンの電圧は、設置信号として前記第二制御回路に伝送し、前記第二制御回路は、前記設置信号によって、選択的に前記第三回伝送ピンと前記第二制御モジュールとを電気的な接続或いは遮断させることを特徴とする請求項６に記載の表示システム。
【請求項１３】
前記第二制御回路は、第二イネーブル端、第三伝送端及び第四伝送端を備え、前記第二イネーブル端は、前記第一回伝送ピンと電気的に接続し、前記第三伝送端は、第三回伝送ピンと電気的に接続し、前記第四伝送端は、前記第二制御モジュールと電気的に接続することを特徴とする請求項１２に記載の表示システム。
【請求項１４】
前記設置信号が第一電圧値を有する場合、前記第二制御回路は、オン状態になり、前記第三伝送端と前記第四伝送端とが電気的に接続し、前記設置信号が第二電圧値を有する場合、前記第二制御回路は、オフ状態になり、前記第三伝送端と前記第四伝送端とが電気的に遮断することを特徴とする請求項１３に記載の表示システム。
【請求項１５】
前記テレビスティックは、更に第二信号受信モジュールを備え、前記第二信号受信モジュールは、前記第二制御モジュールと電気的に接続して、一つの外部装置が入力した第二制御信号を受信し、且つ前記第二制御信号を第二回制御信号に切り替えることを特徴とする請求項１２に記載の表示システム。
【請求項１６】
前記第一制御信号は、赤外線信号であり、前記第二制御信号は、ＲＦ信号であることを特徴とする請求項１５に記載の表示システム。
【請求項１７】
前記テレビスティックは、更に給電回路を備え、前記給電回路は、保護素子及び第二ＤＣ−ＤＣ切り替え回路を備え、前記保護素子は、前記第二回伝送ピンと前記第二ＤＣ−ＤＣ切り替え回路と電気的に接続して、前記第二ＤＣ−ＤＣ切り替え回路の電圧が逆に前記第二回伝送ピンに伝送されることを防止し、前記第二ＤＣ−ＤＣ切り替え回路は、前記第二制御モジュールと電気的に接続して、前記電源信号を切り替えて、前記第二制御モジュールに伝送することを特徴とする請求項６に記載の表示システム。
【請求項１８】
前記テレビスティックは、更にバックアップ電源を備え、前記バックアップ電源は、前記第二ＤＣ−ＤＣ切り替え回路と電気的に接続して、前記第二回伝送ピンが前記電源信号を提供しない際、前記給電回路に電源信号を提供することを特徴とする請求項１７に記載の表示システム。
【請求項１９】
前記バックアップ電源は、ＵＳＢ伝送インタフェースであることを特徴とする請求項１８に記載の表示システム。
【請求項２０】
表示装置において、
前記表示装置は、一つのＨＤＭＩ伝送インタフェース、第一制御モジュール及び第一アダプター回路を備え、
前記ＨＤＭＩ伝送インタフェースは、外部装置と電気的に接続し、複数の伝送ピンを備え、前記複数の伝送ピンは、少なくとも第一メイン伝送ピン及び第二メイン伝送ピンを備え、
前記第一アダプター回路は、前記第一メイン伝送ピンと電気的に接続して電圧を印加し、前記第一メイン伝送ピンの電圧は、テレビスティックと前記表示装置とのマッチング状態を表し、
前記第一制御モジュールは、前記第一メイン伝送ピンの電圧を検出して、前記マッチング状態を獲得し、且つ対応してイネーブル信号を出力し、
電源モジュールは、前記第二メイン伝送ピンと電気的に接続して、電源信号を提供し、前記表示装置と前記テレビスティックとがマッチングしている場合、前記イネーブル信号は、前記電源モジュールを制御して電源信号を前記第二メイン伝送ピンに出力し、前記表示装置と前記テレビスティックとがマッチングしていない場合、前記イネーブル信号は、前記電源モジュールを制御して、前記第二メイン伝送ピンに前記電源信号を提供しないことを特徴とする表示装置。
【請求項２１】
前記第一メイン伝送ピンが第一電圧値を有する場合、前記表示装置が前記外部装置とマッチングしていることを示し、前記第一メイン伝送ピンが第二電圧値を有する場合、前記表示装置が外部装置とマッチングしていないことを示すことを特徴とする請求項２０に記載の表示装置。
【請求項２２】
前記表示装置と前記外部装置とがマッチングしている場合、前記イネーブル信号は、第三電圧値を有し、前記表示装置と前記外部装置とがマッチングしていない場合、前記イネーブル信号は、第四電圧値を有することを特徴とする請求項２１に記載の表示装置。
【請求項２３】
前記表示装置は、更に一つの第一制御回路及び一つの第一信号受信モジュールを備え、前記第一伝送インタフェースは、更に第三メイン伝送ピンを備え、前記第一信号受信モジュールは、前記第一制御回路と前記第一制御モジュールと電気的に接続して、一つの外部制御装置が入力した第一制御信号を受信し、且つ第一メイン制御信号に切り替え、前記第一制御信号は、前記表示装置と前記外部装置の作業を制御し、前記第一制御回路は、前記第二メイン伝送ピンと前記第一制御モジュールと電気的に接続し、且つ前記イネーブル信号の制御を受信し、前記外部装置と前記表示装置とがマッチングしている場合、前記第一制御回路は、前記イネーブル信号の制御下で、前記第一メイン制御信号を前記第三メイン伝送ピンに伝送し、前記テレビスティックと前記表示装置とがマッチングしていない場合、前記第一制御回路は、前記第一メイン制御信号を前記第三メイン伝送ピンに伝送しないことを特徴とする請求項２０に記載の表示装置。
【請求項２４】
前記第一メイン伝送ピンは、前記ＨＤＭＩ伝送インタフェースの第二ピンであり、前記第二メイン伝送ピンは、前記ＨＤＭＩ伝送インタフェースの第十八ピンであり、前記第三メイン伝送ピンは、前記ＨＤＭＩ伝送インタフェースの第十四ピンであることを特徴とする請求項２３に記載の表示装置。
【請求項２５】
前記電源モジュールは、第一ＤＣ−ＤＣ変換回路及び電源制御回路を備え、前記第一ＤＣ−ＤＣ変換回路は、一つの電源信号を出力し、前記電源制御回路は、前記第一ＤＣ−ＤＣ変換回路と前記第二メイン伝送ピンと電気的に接続して、イネーブル信号の制御下で選択的に前記ＤＣ−ＤＣ変換回路と前記第二メイン伝送ピンとを電気的に接続或いは遮断させ、
前記表示装置と前記外部装置とがマッチングしている場合、前記電源制御回路は、前記第一ＤＣ−ＤＣ変換回路と前記第二メイン伝送ピンとの電気的な接続を制御して、前記電源信号を前記第二メイン伝送ピンに伝送し、前記表示装置と前記外部装置とがマッチングしていない場合、前記電源制御回路は、前記第一ＤＣ−ＤＣ変換回路と前記第二メイン伝送ピンとの電気的な遮断を制御して、且つ前記電源信号を前記第二メイン伝送ピンに伝送しないことを特徴とする請求項２４に記載の表示装置。
【請求項２６】
前記第一制御回路は、第一イネーブル端、第一伝送端及び前記第二伝送端を備え、前記第一イネーブル端は、前記イネーブル信号を受信し、前記第一伝送端は、前記第一信号受信モジュールと電気的に接続し、前記第二伝送端は、前記第三メイン伝送ピンと電気的に接続し、前記表示装置と前記外部装置とマッチングしている場合、前記第一制御回路は、オン状態になり、且つ前記第一伝送端及び前記第二伝送端とが電気的に接続し、前記表示装置と前記外部装置とがマッチングしていない場合、前記第一制御回路は、オフ状態になり、前記第一伝送端及び前記第二伝送端が電気的に遮断することを特徴とする請求項２５に記載の表示装置。
【請求項２７】
前記第一アダプター回路は、第一抵抗を備え、前記第一抵抗の一端は、前記第一メイン伝送ピンと電気的に接続し、前記抵抗の別の一端は、前記第一電圧端と電気的に接続し、前記第一電圧端は、第五電圧値を有することを特徴とする請求項２０に記載の表示装置。
【請求項２８】
前記表示装置と前記外部装置とがマッチングしていない場合、前記第二メイン伝送ピンは、前記第一伝送インタフェースの接続状態を検出し、前記第一伝送インタフェースが接続状態である場合、前記第二メイン伝送ピンに５Ｖ電圧を伝送し、前記第一伝送インタフェースが非接続状態である場合、前記第二メイン伝送ピンは、フロート状態になり、且つ前記第二メイン伝送ピンは、検出結果を前記第一制御モジュールに出力することを特徴とする請求項２７に記載の表示装置。
【請求項２９】
テレビスティックにおいて、
前記テレビスティックは、ＨＤＭＩ伝送インタフェース、制御モジュール及びアダプター回路を備え、
前記ＨＤＭＩ伝送インタフェースは、表示装置と電気的に接続し、複数の伝送ピンを備え、前記複数の伝送ピンは、少なくとも第一回伝送ピン、第二回伝送ピン及び第三回伝送ピンを備え、
前記アダプター回路は、前記第一回伝送ピンと電気的に接続して、第一回伝送ピンからの電圧を印加し、前記第一回伝送ピンの電圧は、前記テレビスティックと前記表示装置とのマッチング状態を表し、
前記制御モジュールは、前記第二回伝送ピンと前記第三回伝送ピンと電気的に接続し、前記テレビスティックと前記表示装置とがマッチングしている場合、前記第二回伝送ピンは、電源信号を受信し、前記電源信号は、前記制御モジュールに給電し、及び第三回伝送ピンが、表示装置からの第一メイン制御信号を受信し、且つ第一メイン制御が表示データを前記表示装置に伝送することを特徴とするテレビスティック。
【請求項３０】
前記第一回伝送ピンは、前記ＨＤＭＩ伝送インタフェースの第二ピンであり、前記第二回伝送ピンは、前記ＨＤＭＩ伝送インタフェースの第十八ピンであり、前記第三回伝送ピンは、前記ＨＤＭＩ伝送インタフェースの第十四ピンであることを特徴とする請求項２９に記載のテレビスティック。
【請求項３１】
前記アダプター回路は、抵抗を備え、前記抵抗の一端は、アースし、別の一端は、前記第一回伝送ピンと電気的に接続することを特徴とする請求項２９に記載のテレビスティック。
【請求項３２】
前記第六電圧値は、５Ｖであることを特徴とする請求項２９に記載のテレビスティック。
【請求項３３】
前記テレビスティックは、更に制御回路を備え、前記制御回路は、前記第三回伝送ピンと前記制御モジュールとの間に電気的に接続すると共に、更に前記第一回伝送ピンと電気的に接続し、前記第一回伝送ピンの電圧は、設置信号として前記制御回路に伝送し、前記制御回路は、前記設置信号によって、選択的に前記第三回伝送ピンと前記制御モジュールとを電気的に接続或いは遮断させることを特徴とする請求項２９に記載のテレビスティック。
【請求項３４】
前記制御回路は、第二イネーブル端、第三伝送端及び第四伝送端を備え、前記第二イネーブル端は、前記第一回伝送ピンと電気的に接続し、前記第三伝送端は、第三回伝送ピンと電気的に接続し、前記第四伝送端は、前記制御モジュールと電気的に接続することを特徴とする請求項３３に記載のテレビスティック。
【請求項３５】
前記設置信号が第一電圧値を有する場合、前記第二制御回路は、オン状態になり、前前記第三伝送端と前記第四伝送端との電気的に接続し、前記設置信号が第二電圧値を有する場合、前記第二制御回路は、オフ状態になり、前記第三伝送端と前記第四伝送端との電気的に遮断することを特徴とする請求項３４に記載のテレビスティック。
【請求項３６】
前記テレビスティックは、更に信号受信モジュールを備え、前記信号受信モジュールは、前記制御モジュールと電気的に接続して、一つの外部装置が入力した第二制御信号を受信し、且つ前記第一制御信号を第二回制御信号に切り替えることを特徴とする請求項２９に記載のテレビスティック。
【請求項３７】
前記第二制御信号は、ＲＦ信号であることを特徴とする請求項３６に記載のテレビスティック。
【請求項３８】
前記テレビスティックは、更に給電回路を備え、前記給電回路は、保護素子及びＤＣ−ＤＣ切り替え回路を備え、前記保護素子は、前記第二回伝送ピンと前記ＤＣ−ＤＣ切り替え回路と電気的に接続して、前記ＤＣ−ＤＣ切り替え回路の電圧が逆に前記第二回伝送ピンに伝送されることを防止し、前記ＤＣ−ＤＣ切り替え回路は、前記第二制御モジュールと電気的に接続し、前記ＤＣ−ＤＣ切り替え回路は、前記電源信号を切り替えて、切り替えた電圧を前記第二制御モジュールに提供することを特徴とする請求項２９に記載のテレビスティック。
【請求項３９】
前記テレビスティックは、更にバックアップ電源を備え、前記バックアップ電源は、前記ＤＣ−ＤＣ切り替え回路と電気的に接続して、前記第二回伝送ピンが前記電源信号を提供しない際、前記給電回路に電源信号を提供することを特徴とする請求項３８に記載のテレビスティック。
【請求項４０】
前記テレビスティックと前記表示装置とがマッチングしていない場合、前記第一回伝送ピンは、前記ＨＤＭＩ伝送インタフェースの接続状態を検出し、前記ＨＤＭＩ伝送インタフェースが接続状態である場合、前記制御モジュールは、前記第二回伝送ピンに５Ｖ電圧を伝送し、前記ＨＤＭＩ伝送インタフェースが非接続状態である場合、前記制御モジュールは、フロート状態になることを特徴とする請求項２９に記載のテレビスティック。
【発明の詳細な説明】
【技術分野】
【０００１】
本発明は、表示装置及びテレビスティックに関し、特にテレビスティックと表示装置とを組み合わせた後の表示システムに関するものである。
【背景技術】
【０００２】
従来の表示装置、例えば、テレビは、ＨＤＭＩ（登録商標）伝送インタフェースによってテレビスティックと接続された後、ネットワークとの接続が実現でき、外部装置、例えば、リモコン、キーボード或いはマウスの制御によって、ウェブページの閲覧、映像の視聴等ができて、普通のテレビがスマートテレビになる。現在、各メーカは、テレビスティックとテレビとの整合定義が完成できず、テレビスティックと多様な種類の表示装置とが、それぞれ独立したシステムになってしまい、それぞれ独立した電源が必要になり、テレビスティックが表示装置と整合できない場合、テレビスティックに独立的に電源線とアダプターとを設置する必要があって、テレビスティックとテレビとを接続する接続線が多くて複雑になり、テレビスティックとテレビとの一体感に影響を与え、同時に両者の作業の安定性が悪い。
【発明の概要】
【発明が解決しようとする課題】
【０００３】
以上の問題点に鑑みて、本発明は、接続が便利であり、作業の安定性が優れた表示システムを提供することを目的とする。さらに、表示装置とテレビスティックを提供する。
【課題を解決するための手段】
【０００４】
上記の課題を解決するために、本発明の表示システムは、表示装置及びテレビスティックを備え、前記テレビスティックが前記表示装置と電気的に接続し、前記表示装置は、第一伝送インタフェース、第一アダプター回路、第一制御モジュール及び電源モジュールを備え、前記第一伝送インタフェースは、複数の伝送ピンを備え、前記複数の伝送ピンは、少なくとも第一メイン伝送ピン及び第二メイン伝送ピンを備え、前記第一アダプター回路は、前記第一メイン伝送ピンと電気的に接続して、前記第一メイン伝送ピンに電圧を提供し、前記第一メイン伝送ピンの電圧は、前記表示装置と前記テレビスティックとのマッチングの状態を表し、前記第一制御モジュールは、前記第一メイン伝送ピンの電圧を検出して、前記接続状態を獲得し、且つ対応してイネーブル信号を出力し、前記電源モジュールは、前記第二メイン伝送ピンと接続して、電源信号を提供し、前記表示装置と前記テレビスティックとがマッチングしている場合、前記イネーブル信号は、前記電源モジュールを制御して電源信号を前記第二メイン伝送ピンに出力して、前記第二メイン伝送ピンが前記テレビスティックに給電し、前記表示装置と前記テレビスティックとがマッチングしていない場合、前記イネーブル信号は、前記電源モジュールを制御して、且つ前記第二メイン伝送ピンに前記電源信号を提供せず、  前記テレビスティックは、第二伝送インタフェース、第二制御モジュール及び第二アダプター回路を備え、この際、前記第二伝送インタフェースは、複数の伝送ピンを備え、前記複数の伝送ピンは、少なくとも第一回伝送ピン及び第二回伝送ピンを備え、それぞれ前記第一メイン伝送ピン、前記第二メイン伝送ピンと電気的に接続し、前記第二アダプター回路は、前記第一回伝送ピンと電気的に接続して、前記第一回伝送ピンからの電圧を提供し、且つ前記第一アダプター回路と組み合って、共に前記第一メイン伝送ピンの電圧を識別し、前記第二制御モジュールは、前記第二回伝送ピンと電気的に接続し、前記第二回伝送ピンからの前記電源信号を受信し、且つ前記電源信号の駆動下で正常に作動することを特徴とする表示システム。
【０００５】
上記の課題を解決するために、本発明の表示装置は、前記表示装置は、一つのＨＤＭＩ伝送インタフェース、第一制御モジュール及び第一アダプター回路を備え、前記ＨＤＭＩ伝送インタフェースは、外部装置と電気的に接続し、複数の伝送ピンを備え、前記複数の伝送ピンは、少なくとも第一メイン伝送ピン及び第二メイン伝送ピンを備え、前記第一アダプター回路は、前記第一メイン伝送ピンと電気的に接続して電圧を印加し、前記第一メイン伝送ピンの電圧は、前記テレビスティックと前記表示装置とのマッチング状態を表し、前記第一制御モジュールは、前記第一メイン伝送ピンの電圧を検出して、前記マッチング状態を獲得し、且つ対応してイネーブル信号を出力し、前記電源モジュールは、前記第二メイン伝送ピンと電気的に接続して、電源信号を提供し、前記表示装置と前記テレビスティックとがマッチングしている場合、前記イネーブル信号は、前記電源モジュールを制御して電源信号を前記第二メイン伝送ピンに出力し、前記表示装置と前記テレビスティックとがマッチングしていない場合、前記イネーブル信号は、前記電源モジュールを制御して、前記第二メイン伝送ピンに前記電源信号を提供しないことを特徴とする表示装置。
【０００６】
上記の課題を解決するために、本発明のテレビスティックは、前記テレビスティックは、ＨＤＭＩ伝送インタフェース、制御モジュール及びアダプター回路を備え、前記ＨＤＭＩ伝送インタフェースは、表示装置と電気的に接続し、複数の伝送ピンを備え、前記複数の伝送ピンは、少なくとも第一メイン伝送ピン、第二メイン伝送ピン及び第三伝送ピンを備え、前記アダプター回路は、前記第一回伝送ピンと電気的に接続して、第一回伝送ピンからの電圧を印加し、前記第一回伝送ピンの電圧は、前記テレビスティックと前記表示装置とのマッチング状態を表し、前記制御モジュールは、前記第二回伝送ピンと前記第三回伝送ピンと電気的に接続し、前記テレビスティックと前記表示装置とがマッチングしている場合、前記第二回伝送ピンは、電源信号を受信し、前記電源信号は、前記制御モジュールに給電し、及び第三回伝送ピンが、表示装置からの第一メイン制御信号を受信し、且つ前記第一メイン制御が表示データを前記表示装置に伝送することを特徴とするテレビスティック。
【発明の効果】
【０００７】
従来の技術に比べると、前記表示装置と前記テレビスティックには、それぞれ第一アダプター回路及び第二アダプター回路が設置されており、且つ前記第一アダプター回路及び第二アダプター回路は、それぞれ伝送インタフェースの対応ピンと接続して、互いに組み合って対応ピンの電圧を識別し、表示装置は、前記対応ピンの電圧を検出することで、テレビスティックと表示装置とがマッチングしているかどうかを識別し、テレビスティックと表示装置とが完全にマッチングする場合、表示装置は、電源信号を伝送インタフェースによってテレビスティックに提供して、テレビスティックに給電し、且つテレビスティックを作動させて正常に作業させ、同時に、受信した制御信号をテレビスティックに伝送して、テレビスティックが正確及び簡単に表示装置とのマッチングを行う。
【図面の簡単な説明】
【０００８】
【図１】本発明に係る最適な実施形態の表示システムのモジュール図である。
【図２】図１に示した表示装置の回路構造を示す図である。
【図３】図１に示したテレビスティックの回路構造を示す図である。
【図４】本発明に係る変更実施形態のテレビスティックのモジュール図である。
【発明を実施するための形態】
【０００９】
以下、具体的な実施形態に上述の図面を組み合わせて、さらに詳細に本発明を説明する。以下、具体的な実施形態と図面とを組み合わせて、詳細に説明する。
【００１０】
図１を参照すると、これは本発明に係る最適な実施形態の表示システムのモジュール図であり、表示システム１は、表示装置１０及びテレビスティック２０を備え、表示装置１０は、映像を表示することに利用されると共に、外部のコントロール装置が出力した制御信号を受信し、且つ前記制御信号によって、対応する機能を実行し、本実施形態において、表示装置１０は一つのテレビである。テレビスティック２０は、外部の制御装置の制御、例えば、リモコン、マウス及びキーボードの制御を受信して、ネットワークなどのオーディオ及びビデオデータを受信し、且つ当該のオーディオ及びビデオデータに対して復号化を行い、且つ表示装置１０に伝送して表示され、テレビスティック２０はさらに外部の制御装置の制御を受信する。テレビスティック２０と表示装置１０とのマッチングによって、表示装置１０が、外部制御装置、例えば、マウス、キーボード或いはリモコンの制御下でウェブページが閲覧でき、映像が視聴できるため、さらにスマート化になる。
【００１１】
具体的に、表示装置１０は、第一ＨＤＭＩ伝送インタフェース１１０、第一制御モジュール１２０、表示モジュール１３０、第一信号受信モジュール１４０、第一制御回路１５０、電源モジュール１６０及び第一アダプター回路１７０を備える。
【００１２】
第一ＨＤＭＩ伝送インタフェース１１０は、複数の伝送ピン或いは伝送端を備え、本実施形態において、該第一ＨＤＭＩ伝送インタフェース１１０は、ＨＤＭＩ１．４版であり、１９個ピンを備え、この際、第三〜第十一ピンは、オーディオ及びビデオデータを伝送することに利用され、第十二〜第十三ピンは、クロック回路（図示せず）と接続し、且つクロック信号を受信し、第十八ピンＰｉｎ１８は、電源ピンとなり、且つ該電源モジュール１６０と接続する。第十四ピンＰｉｎ１４は、該第一制御回路１５０と接続することに利用され、且つ制御型の信号伝送し、第二ピンＰｉｎ２は、第一アダプター回路１７０と接続する。説明の便宜上、該第二ピンＰｉｎ２は、第一メイン伝送ピンを定義し、該第十八ピンＰｉｎ１８は、第二メイン伝送ピンを定義し、該第十四ピンＰｉｎ１４は、第三メイン伝送ピンを定義する。
【００１３】
第一アダプター回路１７０は、電圧を第二ピンＰｉｎ２に電圧を印加することに利用され、前記第二ピンＰｉｎ２の電圧は、テレビスティックと表示装置１０とがマッチング（ｍａｔｃｈｅｓ）するかどうか示すことに利用される。本実施形態において、第二ピンＰｉｎ２の電圧が第一電圧値を有する際、テレビスティック２０と表示装置１０とがマッチングしていることを示し、第二ピンＰｉｎ２の電圧が第二電圧値を有する際、テレビスティックと表示装置１０とがマッチングしていないことを示す。この際、イネーブル信号（ｅｎａｂｌｉｎｇ ｓｉｇｎａｌ）の第一電圧値は、２．５Ｖであり、該第一電圧値は、０Ｖ或いは３．３Ｖである。
【００１４】
第一制御モジュール１２０は、第一ＨＤＭＩ伝送インタフェース１１０中の第二ピンの電圧を検出し、且つ検出された電圧によって、対応するイネーブル信号を電源モジュール１６０及び第一制御回路１５０に出力する。同時に、第一制御モジュール１２０は、第一信号受信モジュール１４０から第一制御信号を受信する。具体的に、テレビスティック２０と表示装置１０がマッチングする場合、前記第一制御モジュール１２０は、第三電圧値のイネーブル信号を出力する。テレビスティック２０と表示装置１０がマッチングしない場合、前記第一制御モジュール１２０は、第四電圧値のイネーブル信号を出力する。本実施形態において、該イネーブル信号の第三電圧値は、０Ｖであり、該第四電圧値は、３．３Ｖである。
【００１５】
表示モジュール１３０は、オーディオ及びビデオデータ等の表示データを受信し、且つ画像を表示し、本実施形態において、表示モジュール１３０は、液晶表示モジュールである。
【００１６】
第一信号受信モジュール１４０は、一つの外部装置（図示せず）が入力した第一制御信号を受信し、且つ該第一制御信号に対して復号化して第一メイン制御信号に切り替えって出力する。
【００１７】
第一制御回路１５０は、該第一制御モジュール１２０が出力したイネーブル信号を受信し、且つ該イネーブル信号の制御下で選択的に第一信号受信モジュール１４０が出力した第一メイン制御信号を第一ＨＤＭＩ伝送インタフェースの第十四ピンＰｉｎ１４に伝送する。更に具体的に、当該イネーブル信号が第三電圧値を有する際、前記第一制御回路１５０は、オン状態になり、且つ前記第一メイン制御信号を前記第十四ピンＰｉｎ１４に伝送する。当該イネーブル信号が第四電圧値を有する際、前記第一制御回路１５０は、オフ状態になり、且つ前記第一メイン制御信号も前記第一ＨＤＭＩ伝送インタフェース１１０の第十四ピンＰｉｎ１４に伝送しない。
【００１８】
電源モジュール１６０は、第一ＨＤＭＩ伝送インタフェース１１０の第十八ピンＰｉｎ１８と電気的に接続して、一つの電源信号を提供し、且つ該イネーブル信号の制御下で、選択的に電源信号を第十八ピンＰｉｎ１８に伝送して、テレビスティック２０に電源信号を提供して、テレビスティック２０に給電する。具体的に、当該イネーブル信号は、第三電圧値を有する際、前記電源モジュール１６０は、電源信号を第十八ピンＰｉｎ１８に伝送する。当該イネーブル信号は、第四電圧値を有する際、前記電源モジュール１６０は、第一ＨＤＭＩ伝送インタフェース１１０の第十八ピンＰｉｎ１８に電源信号を提供しない。
【００１９】
テレビスティック２０は、第二ＨＤＭＩ伝送インタフェース２１０、第二アダプター回路２２０、第二制御回路２３０、第二制御モジュール２４０、第二信号受信モジュール２５０、給電回路２６０及びバックアップ電源２７０を備える。
【００２０】
該第二ＨＤＭＩ伝送インタフェース２１０は、更に複数ピン或いは伝送端を備え、且つ該第一ＨＤＭＩ伝送インタフェース１１０ピンと一つずつ対応して、オーディオ及びビデオデータ等の表示データを前記第一ＨＤＭＩ伝送インタフェース１１０に伝送する。具体に、第二ＨＤＭＩ伝送インタフェース２１０中の第二ピンＰｉｎ２’は、第一ＨＤＭＩ伝送インタフェース１１０の第二ピンＰｉｎ２と電気的に接続し、第二ＨＤＭＩ伝送インタフェース２１０中の第十四ピンＰｉｎ１４’は、第一ＨＤＭＩ伝送インタフェース１１０の第十四ピンＰｉｎ１４と電気的に接続し、第二ＨＤＭＩ伝送インタフェース２１０中の第十八ピンＰｉｎ１８’は、第一ＨＤＭＩ伝送インタフェース１１０の第十八ピンＰｉｎ１８と電気的に接続する。説明の都合上、第二ＨＤＭＩ伝送インタフェース２１０中の第二ピンＰｉｎ２’は、第一回伝送ピンと定義し、第二ＨＤＭＩ伝送インタフェース２１０中の第十八ピンＰｉｎ１８’は、第二回伝送ピンと定義し、第二ＨＤＭＩ伝送インタフェース２１０中の第十四ピンＰｉｎ１４’は、第三回伝送ピンと定義する。
【００２１】
第二ＨＤＭＩ伝送インタフェース２１０の第二ピンＰｉｎ２’は、第二アダプター回路２２０と電気的に接続して、対応する電圧を得られる。第二ＨＤＭＩ伝送インタフェース２１０の第十八ピンＰｉｎ１８’は、第一ＨＤＭＩ伝送インタフェース１１０の第十八ピンＰｉｎ１８から前記電源信号を受信して、且つ第二制御モジュール２４０に伝送して、前記第二制御モジュール２４０を駆動して且つ正常に作動する。第十四ピンＰｉｎ１４’は、第一ＨＤＭＩ伝送インタフェース１１０の第十四ピンＰｉｎ１４から前記第一メイン制御信号を受信する。
【００２２】
前記第二アダプター回路２２０は、前記第二ＨＤＭＩ伝送インタフェース２１０の第二ピンＰｉｎ２’からの電圧を印加（ｐｒｏｖｉｄｅｓ）し、且つ前記第一アダプター回路１７０と組み合わせて、共に前記第二ピンＰｉｎ２とＰｉｎ２’との電圧を識別する。
【００２３】
前記第二制御回路２３０は、前記第十四ピンＰｉｎ１４’と第二制御モジュール２４０との間に電気的に接続すると共に、更に前記第二ＨＤＭＩ伝送インタフェース２１０の第二ピンＰｉｎ２’と電気的に接続し、且つ前記第二ピンＰｉｎ２によって設置信号を受信し、前記設置信号によって選択的に前記第十四ピンＰｉｎ１４’が受信した制御信号を前記第二制御モジュール２４０に伝送する。本実施形態において、前記第二ピンの電圧は、前記設置信号である。具体的に、当該設置信号が第一電圧値を有する場合、前記第二制御回路２３０は、前記第十四ピンＰｉｎ１４’と第二制御モジュール２４０との電気的な接続がオンになるように制御し、当該設置信号が第二電圧値を有する場合、前記第二制御回路２３０は、前記第十四ピンＰｉｎ１４’と第二制御モジュール２４０との電気的な接続がオフになるように制御する。
【００２４】
第二信号受信モジュール２５０は、外部制御装置が伝送した第二制御信号を受信することに利用され、且つ前記第二制御信号に対して復号化して、第二回制御信号に切り替えて、前記第二制御モジュール２４０に伝送する。
【００２５】
第二制御モジュール２４０は、前記第十四ピンＰｉｎ１４’によって受信した第一制御信号或いは第二信号受信モジュール２５０から受信した第二回信号によって、指令の制御及び操作を行い、且つ前記第二ＨＤＭＩ伝送インタフェース２１０及び前記第一ＨＤＭＩ伝送インタフェース１１０によって、対応するオーディオ及びビデオデータを表示装置１０の表示モジュール１３０に伝送する。
【００２６】
給電回路２６０は、前記電源信号を受信することに利用され、且つ前記電源をＤＣ−ＤＣに切り替えた後、前記第二制御モジュール２４０に伝送して、前記第二制御モジュール２４０に給電する。
【００２７】
バックアップ電源２７０は、前記第二ＨＤＭＩ伝送インタフェース２１０の第十八ピンＰｉｎ１８’が前記電源信号を受信していない場合、テレビスティック２０の各機能モジュールに給電する。
【００２８】
具体的に、図２に示したように、本発明の実施形態においての表示装置１０の回路構造を示す図であり、この際、電源モジュール１６０は、第一ＤＣ−ＤＣ変換回路１６１及び電源制御回路１６２を備え、前記第一ＤＣ−ＤＣ変換回路１６１は、電源信号を出力し、本実施形態において、前記電源信号の電圧値は、５Ｖであり、電流値は、２Ａである。
【００２９】
電源制御回路１６２は、前記第一ＤＣ−ＤＣ変換回路１６１と第一ＨＤＭＩ伝送インタフェース１１０の第十八ピンＰｉｎ１８’と電気的に接続し、イネーブル信号の制御下でオン状態或いはオフ状態になって、選択的に第一ＤＣ−ＤＣ変換回路１６１と前記第十八ピンＰｉｎ１８との接続がオン或いはオフされて、選択的に前記電源信号を前記第十八ピンＰｉｎ１８に出力する。具体的に、前記イネーブル信号が第三電圧値を有する場合、前記電源制御回路１６２は、オン状態になって、第一ＤＣ−ＤＣ変換回路１６１と前記第十八ピンＰｉｎ１８との電気的な接続がオンされるように制御する。前記イネーブル信号が第四電圧値を有する場合、前記電源制御回路１６２は、オフ状態になって、第一ＤＣ−ＤＣ変換回路１６１と前記第十八ピンＰｉｎ１８との接続がオフされる。本実施形態において、前記電源制御回路１６２は、トランジスタである。
【００３０】
前記第一制御モジュール１２０は、第一論理回路（Ｌｏｇｉｃ ｃｉｒｃｕｉｔ）１２１及びマイクロコントロールユニット（Ｍｉｃｒｏ ｃｏｎｔｒｏｌ ｕｎｉｔ, ＭＣＵ）１２２を備える。第一論理回路１２１は、前記第十八ピンＰｉｎ１８及び前記マイクロコントロールユニット１２２と電気的に接続して、前記マイクロコントロールユニット１２２にクロック信号及びバッファリング信号（ｂｕｆｆｅｒｉｎｇ ｓｉｇｎａｌ）等を提供する。同時に、第一論理回路１２１は、第十八ピンＰｉｎ１８の電圧を検出し、且つ検出結果によって、対応する検出信号をマイクロコントロールユニット１２２に出力する。
【００３１】
マイクロコントロールユニット１２２は、検出端１２２ａ、イネーブル信号出力端１２２ｂ及び信号入力端１２２ｃを備える。前記検出端１２２ａは、第二ピンＰｉｎ２と電気的に接続して、第二ピンＰｉｎ２の電圧を検出することに用いられる。前記第二ピンＰｉｎ２が第一電圧値を有する場合、テレビスティック２０と表示装置１０とが接続していることを表示し、マイクロコントロールユニット１２２が第三電圧値を有するイネーブル信号を出力する。前記第二ピンＰｉｎ２が第二電圧値を有する場合、テレビスティック２０と表示装置１０とがマッチングしていないことを表示し、マイクロコントロールユニット１２２が第四電圧を有するイネーブル信号を出力する。同時に、テレビスティック２０と表示装置１０とがマッチングしていない場合、第十八ピンＰｉｎ１８は、ホットプラグ（ｈｏｔ−ｐｌｕｇ）検出機能を実行し、即ち、前記第十八ピンＰｉｎ１８は、前記第一ＨＤＭＩ伝送インタフェース１１０の接続状態を検出する。例えば、外部装置と前記第一ＨＤＭＩ伝送インタフェース１１０とが接続された場合、第十八ピンＰｉｎ１８が５Ｖ電圧信号を前記第一論理回路１２１に出力する。外部装置と前記第一ＨＤＭＩ伝送インタフェース１１０とが接続されていない場合、第十八ピンＰｉｎ１８は、フロート状態になり、同時に、第一論理回路１２１は、前記第十八ピンＰｉｎ１８の電圧を検出し、且つ対応する検出信号をマイクロコントロールユニット１２２に出力して、マイクロコントロールユニット１２２に、前記第一ＨＤＭＩ伝送インタフェースが外部装置と接続しているかどうかを通知する。
【００３２】
前記イネーブル信号出力端１２２ｂは、第一制御回路１５０と電源制御回路１６２と電気的に接続して、前記イネーブル信号を前記第一制御回路１５０及び前記電源制御回路１６２に出力する。信号入力端１２２ｃは、第一信号受信モジュール１４０と電気的に接続して、前記第一信号受信モジュール１４０の第一メイン制御信号を受信する。
【００３３】
前記第一制御回路１５０は、第一イネーブル端１５０ａ、第一伝送端１５０ｂ及び第二伝送端１５０ｃを備える。前記第一イネーブル端１５０ａはマイクロコントロールユニット１２２のイネーブル信号出力端１２２ｂと電気的に接続して、前記イネーブル信号を受信する。前記第一伝送端１５０ｂは、第一信号受信モジュール１４０と電気的に接続し、前記第二伝送端１５０ｃは、前記第十四ピンＰｉｎ１４と電気的に接続する。第一制御回路１５０は、イネーブル信号の制御下で、オン状態或いはオフ状態になり、即ち、前記イネーブル信号が第三電圧値を有する場合、前記第一制御回路１５０は、オン状態になり、前記イネーブル信号が第四電圧値を有する場合、前記第一制御回路１５０は、オフ状態になる。前記第一制御回路１５０がオン状態である場合、前記第一伝送端１５０ｂと第二伝送端１５０ｃとがオンされて、前記第一メイン制御信号を前記第十四ピンＰｉｎ１４に伝送し、前記第一制御回路１５０がオフ状態である場合、第一信号受信モジュール１４０は、前記第一メイン制御信号を前記第十四ピンＰｉｎ１４に伝送しない。
【００３４】
本実施形態において、前記第一制御回路１５０は、信号制御スイッチであり、例えば、トランジスタ或いはＭＯＳＦＥＴ等であり、その制御端、例えば、ゲート電極は、前記第一イネーブル端１５０ａとなり、その信号入力端、例えば、ソース電極は、前記第一伝送端１５０ｂとなり、その出力端、例えば、ドレイン電極は、前記第二伝送端１５０ｃとなる。
【００３５】
第一制御回路１５０は、第一制御モジュール１２０のほかの信号が間違ってテレビスティック２０或いは他の装置中に伝送することを有効的に防止する。
【００３６】
第一アダプター回路１７０は、第一抵抗１７１を備え、第一抵抗１７１の一端は、第一電圧端１７２と接続し、別の一端は、第二ピンＰｉｎ２と接続しており、この際、前記第一電圧端１７２は、電圧値が３Ｖである電圧を有する。
【００３７】
第一信号受信モジュール１４０は、独立的に表示装置１０の外部装置が伝送した制御信号を受信し、且つ前記制御信号に対して復号化を行う。本実施形態において、外部装置は、赤外線リモコンであり、前記第一信号受信モジュール１４０は、赤外線信号受信モジュールであり、前記赤外線信号受信モジュールは、受信した赤外線リモコンが赤外線方式で伝送した制御信号を復号化して、切り替える。
【００３８】
図３を参照すると、図１に示したテレビスティック２０の回路構造図を示す図であり、この際、第二アダプター回路２２０は、第二抵抗２２１を備え、第二抵抗２２１の一端は、アースＧＮＤし、別の一端は、前記第二ピンＰｉｎ２’と電気的に接続する。
【００３９】
第二制御回路２３０は、第二イネーブル端２３０ａ、第三伝送端２３０ｂ及び第四伝送端２３０ｃを備え、前記第二イネーブル端２３０ａは、第二ピンＰｉｎ２’と電気的に接続し、第三伝送端２３０ｂは、第十四ピンＰｉｎ１４’と電気的に接続し、第四伝送端２３０ｃは、第二制御モジュール２４０と電気的に接続する。第二制御回路２３０は、設置信号の制御下で、オン状態或いはオフ状態になり、即ち、設置信号が第一電圧値を有する場合、前記第二制御回路２３０は、オン状態になり、設置信号が第二電圧値を有する場合、前記第二制御回路２３０は、オフ状態になる。前記第二制御回路２３０がオン状態である場合、前記第三伝送端２３０ｂと第四伝送端２３０ｃとがオンになって、第十四ピンＰｉｎ１４’が受信した第一メイン制御信号を前記第二制御モジュール２４０に伝送する。前記第二制御回路２３０がオフ状態である場合、前記第二制御モジュール２４０に前記第一メイン制御信号を伝送しない。
【００４０】
本実施形態において、前記第二制御回路２３０は、信号制御スイッチであり、例えば、トランジスタ或いはＭＯＳＦＥＴなどであり、その制御端、例えば、ゲート電極は、前記第二イネーブル端２５０ａとなり、その信号入力端、例えば、ソース電極は、前記第三伝送端２５０ｂとなり、その出力端、例えば、ドレイン電極は、前記第四伝送端２５０ｃである。
【００４１】
表示装置１０とテレビスティック２０とがマッチングしない場合、第二制御回路２３０は、異常信号がテレビスティック２０の第二制御モジュール２４０に伝送することを防止して、テレビスティック２０の誤作動を防止すると共に、テレビスティック２０或いは他の装置中の異常信号が表示装置１０に伝送されることを防止して、表示装置１０の誤作動を防止する。
【００４２】
第二制御モジュール２４０は、第二論理回路２４１及びメイン制御ユニット２４２を備える。第二論理回路２４１は、前記メイン制御ユニット２４２と電気的に接続し、前記メイン制御ユニット２４２の補助回路となる。また、表示装置１０とテレビスティック２０とがマッチングしない場合、第十八ピンＰｉｎ１８’は、ホットプラグ検出機能を実行し、即ち、前記第十八ピンＰｉｎ１８’は、前記第二ＨＤＭＩ伝送インタフェース２１０の接続状態を検出する。例えば、テレビスティック２０と表示装置１０とがマッチングしない場合、第二ＨＤＭＩ伝送インタフェース２１０は、信号伝送インタフェースとなり、前記第二論理回路２４１が前記第二ＨＤＭＩ伝送インタフェース２１０によって他の表示装置と接続する場合、５Ｖ電圧を前記第十八ピンＰｉｎ１８’に出力して、他の表示装置にテレビスティック２０の接続を通知する。前記第二ＨＤＭＩ伝送インタフェース２１０が他の表示装置と接続していない場合、前記第二論理回路２４１は、前記第十八ピンＰｉｎ１８’をフロート状態にさせる。
【００４３】
メイン制御ユニット２４２は、信号受信端２４２ａを備え、前記信号受信端２４２ａは、前記第二制御回路２３０の第四伝送端２３０ｃ及び第二信号受信モジュール２５０と電気的に接続して、前記第一メイン制御信号を受信し、且つ前記第一メイン制御信号によって対応する機能を実行し、例えば、機能指定及び操作を行い、且つ前記第二ＨＤＭＩ伝送インタフェース２１０によって、対応するオーディオ及びビデオデータを出力する。また、メイン制御ユニット２４２は、第二信号受信モジュール２５０により入力された制御作用の信号を受信する。
【００４４】
第二信号受信モジュール２５０は、外部制御装置が伝送した第二制御信号を受信し、且つ前記第二制御信号に対して復号化を行って第二回制御信号に切り替え、メイン制御ユニット２４２に伝送する。本実施形態において、第二信号受信モジュール２５０は、ＲＦ信号受信モジュールであって、２．４ＧＨｚ帯域幅電波の制御信号を受信する。
【００４５】
給電回路２６０は、第十八ピンＰｉｎ１８’と前記第二制御モジュール２４０との間に電気的に接続して、受信した前記電源信号をＤＣ−ＤＣに切り替えた後、前記第二制御モジュール２４０に伝送し、前記第二制御モジュール２４０に給電して、前記第二制御モジュール２４０を作動させて正常に作業する。
【００４６】
給電回路２６０は、保護素子２６１及び第二ＤＣ−ＤＣ切り替え回路２６２を備える。前記保護素子２６１は、前記第十八ピンＰｉｎ１８’と前記第二ＤＣ−ＤＣ切り替え回路２６２との間に電気的に接続して、受信した前記電源信号を前記第二ＤＣ−ＤＣ切り替え回路２６２に伝送すると共に、バックアップ電源２７０の電圧或いは電流が逆に第十八ピンＰｉｎ１８’に伝送されることを防止する。前記保護素子２６１は、ダイオードであり、この際、前記ダイオードの正極は、前記第十八ピンＰｉｎ１８’と電気的に接続し、ダイオードの負極は、前記第二ＤＣ−ＤＣ切り替え回路２６２と電気的に接続する。前記第二ＤＣ−ＤＣ切り替え回路２６２は、受信した電源信号を切り替え、且つ前記第二制御モジュール２４０に提供する。
【００４７】
バックアップ電源２７０は、一つのＵＳＢ伝送インタフェースであり、テレビスティック２０と表示装置１０とがマッチングしていない場合、バックアップ電源２７０を利用して外部からの電源信号を受信し、第二制御モジュール２４０に給電する。
【００４８】
従来の技術に比べると、前記表示装置１０と前記テレビスティック２０には、それぞれ第一アダプター回路１７０及び第二アダプター回路２２０が設置されており、且つ前記第一アダプター回路１７０及び第二アダプター回路２２０は、それぞれ伝送インタフェースの対応ピンと接続して、互いに組み合って対応ピンの電圧を識別し、表示装置１０は、前記対応ピンの電圧を検出することで、テレビスティック２０と表示装置１０とがマッチングしているかどうかを識別し、テレビスティック２０と表示装置１０とが完全にマッチングする場合のみ、表示装置１０は、一つの電源信号をテレビスティック２０に提供して、テレビスティック２０を作動して正常に作業する。テレビスティック２０と表示装置１０とがマッチングしていない場合、表示装置１０中の第一ＨＤＭＩ伝送インタフェース１１０が一般のＨＤＭＩ接続端となって、他のタイプのＨＤＭＩ装置と接続することに用いられる。
【００４９】
更に、テレビスティック２０と表示装置１０とがマッチングしている場合、表示装置は、受信した第一メイン制御信号をテレビスティック２０に伝送して、テレビスティック２０が表示装置１０によって機能操作を組み合わせて、表示装置１０とテレビスティック２０との操作の便利性を向上させる。
【００５０】
図４を併せて参照すると、本発明の変更実施形態のテレビスティックのモジュール図であり、この際、テレビスティック３０は、テレビスティック２０の構造とほぼ同じであり、異なる点は、テレビスティック３０には、第二制御回路２３０及び第二信号受信モジュール２５０を設置する必要がなく、即ち、テレビスティック３０は、第二ＨＤＭＩ伝送インタフェース３１０、第二アダプター回路３２０、第二制御モジュール３４０、給電回路３６０及びバックアップ電源３７０のみを備える。この際、第十四ピンＰｉｎ１４’は、直接に前記第二制御モジュール３４０の信号受信端３４２ａと電気的に接続する。
【００５１】
具体的に、第二ＨＤＭＩ伝送インタフェース３１０’の第十四ピンＰｉｎ１４’は、第二制御モジュール３４０の信号受信端３４２ａと直接に電気的に接続するため、表示装置１０とテレビスティック３０とがマッチングする場合、第十四ピンＰｉｎ１４’は、直接に第一メイン制御信号を前記第二制御モジュール３４０に伝送して、第二制御モジュール３４０が第一制御信号によって対応機能を実行し、例えば、選択的にオーディオ及びビデオデータを表示装置１０に伝送する。
【００５２】
もちろん、本発明は、上述の公開した実施例に限定されるものではなく、本発明は、上述の実施例に対して種々の変更することもできる。本技術分野における者は、本発明の実際趣旨の範囲内であれば、以上の実施例を適当に変形又は修正も又、本発明の特許請求の範囲内に含まれるものであることは、言うまでもないことを理解する。
【符号の説明】
【００５３】
１  表示システム
１０  表示装置
１１０  第一ＨＤＭＩ伝送インタフェース
１２０  第一制御モジュール
１２１  第一論理回路
１２２  マイクロコントロールユニット
１２２ａ  検出端
１２２ｂ  イネーブル信号出力端
１２２ｃ  信号入力端
１３０  表示モジュール
１４０  第一信号受信モジュール
１５０  第一制御回路
１５０ａ  第一イネーブル端
１５０ｂ  第一伝送端
１５０ｃ  第二伝送端
１６１  第一ＤＣ−ＤＣ変換回路
１６２  電源制御回路
１６０  電源モジュール
１７０  第一アダプター回路
１７１  第一抵抗
１７２  第一電圧端
２０、３０  テレビスティック
２１０、３１０  第二ＨＤＭＩ伝送インタフェース
２２０、３２０  第二アダプター回路
２２１  第二抵抗
２３０  第二制御回路
２３０ａ  第二イネーブル端
２３０ｂ  第三伝送端
２３０ｃ  第四伝送端
２４０、３４０  第二制御モジュール
２４１  第二論理回路
２４２  メイン制御ユニット
２４２ａ、３４２ａ  信号受信端
２５０  第二信号受信モジュール
２６０、３６０  給電回路
２６１  保護素子
２６２  第二ＤＣ−ＤＣ切り替え回路
２７０、３７０  バックアップ電源
Ｐｉｎ２，  Ｐｉｎ２’   第二ピン
Ｐｉｎ１４，Ｐｉｎ１４’   第十四ピン
Ｐｉｎ１８，  Ｐｉｎ１８’   第十八ピン
【図１】
2017526229.tif 000003
【図２】
2017526229.tif 000004
【図３】
2017526229.tif 000005
【図４】
2017526229.tif 000006
【国際調査報告】
2017526229.tif 000007
2017526229.tif 000008
2017526229.tif 000009
2017526229.tif 000010